(57)【要約】【課題】方向性や距離感に狂いが少ないゴルフ用パターのヘッド構造を提供する。【解決手段】ゴルフ用パターのヘッド構造が、ゴルフボールをヒットするフェース面に向けて設けられた長尺部材と、長尺部材の背面を開口させて形成した穿孔内で前後方向に移動するように設けた錘りと、錘りを穿孔の開口部より移動操作できるように錘りに設けた係合部とを備え、錘りの位置でパターヘッドの重心を変えるようにした。【選択図】図１
2006102235.tif 000002
【特許請求の範囲】
【請求項１】
ゴルフ用パターのヘッド構造において、該ヘッド構造はゴルフボールをヒットするフェース面に向けて設けられた長尺部材と、該長尺部材の背面を開口させて形成した穿孔内で前後方向に移動するように設けた錘りと、該錘りを前記穿孔の開口部より移動操作できるように前記錘りに設けた係合部とを備え、前記錘りの位置で前記パターヘッドの重心を変えるようにしたことを特徴とするゴルフ用パターのヘッド構造。
【請求項２】
前記穿孔の内周壁に雌ネジを設け、前記錘りには前記雌ネジに螺合する雄ネジを設け、前記錘りを前記穿孔内で螺合させて装着するようにしたことを特徴とする請求項１に記載のゴルフ用パターのヘッド構造。
【請求項３】
前記長尺部材の天井壁に隙間を設け、該隙間より前記錘りの位置が確認できるように構成したことを特徴とする請求項１または２に記載のゴルフ用パターのヘッド構造。
【発明の詳細な説明】
【技術分野】
【０００１】
本発明は、ゴルファー自身が重心を調節できるように構成することにより、ゴルフボールの転がりに狂いが生じないようにしたゴルフ用パターのヘッド構造に関する。
【背景技術】
【０００２】
ゴルフ用パターのヘッド構造に関しては、Ｌ型、ピンアンサー形、キャッシュイン等、様々なタイプのものがあり、それぞれ、ゴルファーの好みや、ゴルファーの欠点を補うように形成されている。一例として、トウおよびヒール部分に重量を多く配分して構成されたタイプのパターであった場合は、これらの部位の慣性モーメントを増加させることにより、方向性の狂いを最小限に留めるものとなっている。また、ゴルフ用パターの重心をフェース面に対して低い位置に設定することにより、ストロークの安定化が図られているものもある。しかし、このような低重心パターにおいては、パッティングによるエネルギーがボールの中心より下側に加えられる傾向となり、結果的にボールはグリーン上を滑るように押し出されて前方への転がりが抑制され、ショートし易くなるという問題点を有していた。特開平１１−１１４１１３号には、パターを高重心とすることにより、パッティングによるエネルギーをボールの中心より上側に加え、前方への転がりを改善することが記載されている。しかし、ボールの転がりは、パターの前後方向の重心の違いによっても左右されるものであり、前後方向の重心の違いによるボールの転がりについては、あまり意識されていなかった。
【特許文献１】特開平１１−１１４１１３号公報
【発明の開示】
【発明が解決しようとする課題】
【０００３】
本発明は、上記した事情に鑑みてなされたものであり、方向性や距離感に狂いが生じないようなゴルフ用パターのヘッド構造を提供することである。
【課題を解決するための手段】
【０００４】
本発明の請求項１は、ゴルフ用パターのヘッド構造において、該ヘッド構造はゴルフボールをヒットするフェース面に向けて設けられた長尺部材と、該長尺部材の背面を開口させて形成した穿孔内で前後方向に移動するように設けた錘りと、該錘りを前記穿孔の開口部より移動操作できるように前記錘りに設けた係合部とを備え、前記錘りの位置で前記パターヘッドの重心を変えるようにしたことを特徴とする。
本発明の請求項２は、前記穿孔の内周壁に雌ネジを設け、前記錘りには前記雌ネジに螺合する雄ネジを設け、前記錘りを前記穿孔内で螺合させて装着するようにしたことを特徴とする。
本発明の請求項３は、前記長尺部材の天井壁に隙間を設け、該隙間より前記錘りの位置が確認できるように構成したことを特徴とする。
【発明の効果】
【０００５】
後方に重心を移動させたゴルフ用パターでパッティングした場合には、ボールが強めにヒットされて良く転がるものとなる。従って、ボールが良く転がるような後方重心とした場合には、パッティングした際にカップ直前でボールが止まるショートの改善に役立つ。このようなカップまでの距離感の狂いは、当日のコンディション（体調等）によっても左右されるものであることから、錘りを前方または後方向に移動操作できるように構成したパターヘッドを利用することにより、プレーヤーは好スコアに繋げることができる。
錘りは穿孔の開口部から挿入させて穿孔内に螺合させて装着させるのがよく、これにより、錘りが着脱自在で移動させ易いものとなる。
長尺部材の隙間から錘りが視認できるようにすることにより、プレーヤーは錘りの位置が確認でき、且つ、記憶できるものとなる。
【発明を実施するための最良の形態】
【０００６】
以下、本発明を図示する一実施の形態により具体的に説明する。図１、図３はゴルフ用パターのヘッドを平面図で示した説明図であり、図２はその背面図である。この図１および図２に示すように、第１の実施の形態におけるパターヘッド１０は、有底円筒形状の長尺部材１５をフェース面１と直角方向に備えたものである。また、柱状のネジ付き錘り５は、螺合により長尺部材１５の内部空間に装着されている。この装着は、長尺部材１５の内周壁に形成された雌ネジ２ａと、ネジ付き錘り５に形成された前記雌ネジ２ａに螺合する雄ネジ５ｂで螺合による装着である。これにより、ネジ付き錘り５は長尺部材１５の開口部から挿入されて、その内部に留められるものとなるが、ボールのヒットによる衝撃に耐える程度にタイトな装着状態となっている。このようなネジ付き錘り５の装着状態は、長尺部材１５内のフェース面１側に設けられているコイルバネ１７の付勢力によっても維持され、ボールをヒットした際にネジ付き錘り５が移動し難いものとなっている。
【０００７】
図２に示すように、ネジ付き錘り５の後端には、凹ませて六角形状の係合凹部５ａ（係合部）が形成されている。これにより、ネジ付き錘り５はレンチ等を嵌め込み回転させて前後方向の移動ができるものとなっている。因みに、係合凹部５ａの形状は、例えばドライバーの先端に係合させるような、プラスもしくはマイナス型とすること、または、コインと係合するような溝部としてもよい。尚、図１においては、長尺部材１５の開口部にキャップ１６を設けていることを示したが、図２では、このキャップ１６を除き、内部に装着されたネジ付き錘り５の係合凹部５ａを示した。
【０００８】
図３に示した第２の実施の形態におけるパターヘッド１０のタイプは、基本的に第１の実施の形態のタイプと同一である。しかし、フェース面１から後方向に向けて設けられた長尺部材１５の形状は、フェース面１と一体的に形成された突状物であり、後方が縮径している。そして、このパターヘッド１０は、その中央部にフェース面１に向けて背面より円筒形状の穿孔２が切削され、且つ、その穿孔２の内部空間に柱状のネジ付き錘り５が装着されている。ネジ付き錘り５の形状は、ほぼ穿孔２内の空間を満たすものとなっている。
【０００９】
さらに、この第２の実施の形態におけるパターヘッド１０は、ネジ付き錘り５の先端が確認できるように、窓部１３（隙間）および目盛１２が設けられている。このように、ネジ付き錘り５の位置が視認できるようにした場合には、自身にとって最適と思われる重心位置を、目盛１２から読み取れるものとなる。尚、ネジ付き錘り５の形状は、図１および図３に示した柱状の形状に限定されるものではなく、例えば、先端部に錘りを設けるとともに錘りから後方に棒状の操作棒を設けて、その操作棒が穿孔２に形成された雌ネジに螺合するようにしてもよい。錘りの係合部については、その後端に係合凹部５ａを設けることの他に、その後端を凸状に形成すること等、適宜実施できる。尚、プレーヤーがプレー中に容易には移動できないように、錘りを収納した穿孔２の開口部は、キャップ１６で塞ぐようにする。
【００１０】
本発明は重心の移動を前後方向に自在に変更できるように構成すると共に、熟練度や体調に合わせてネジ付き錘り５を適宜選択し得るようにしたものであるから、ネジ付き錘り５の材質は、パターヘッド１０の材質と同一な軟鉄やステンレス、銅合金、アルミ合金などに限定されることはない。また、ネジ付き錘り５により、パターヘッド１０は後方に慣性モーメントを有するものとなることから、ボールがスイートスポットを外した場合でも、これを補償する作用がある。したがってトウ側８及びヒール側９に慣性モーメントを増加させたパターヘッドの特徴と、相乗的な効果が期待できる。
【００１１】
本実施の形態においては、カギ型の脚部３にシャフト１１を取付けるボス４が設けられた通称ネック付きマレット型といわれるタイプのパターヘッド１０を示した。しかし、穿孔２およびネジ付き錘り５を設けることは、このタイプのパターヘッドに限定されることはない。例えば、Ｌ型、ピンアンサー形、キャッシュイン等いずれのタイプでもよい。尚、フェース面から後方向に向けて突状物が設けられるスラントネック型や通称トンカチ型と呼ばれるタイプのパターヘッドであった場合は、上述した突状物の内部に穿孔２およびネジ付き錘り５を装着するように構成できる。これにより、ダウンスウィングからフォロースルーにかけてヘッドがうまく出る特徴が、重心を調整することにより、さらに生かされたものになる。
【００１２】
フェース面のスウィートスポットに突出させて設けたスポット盤６については、如何なるタイプのパターヘッドにでも取付けることができるものである。このようなスポット盤６は、ゴルフボールをヒットする際の的となるので、狙いが定め易くなり、同時に神経を集中させることができるのでスコアの向上に役立つ。因みに、ヒットのタイミングは、スポット盤６の厚さの分だけ早くなることから、パターを打ち切れない人にとって、好適に距離調節できるものとなる。さらに、本発明のネジ付き錘り５を設けることにより、スポット盤６に対してヒットのエネルギーを集中させることができるのでボールの転がりが良くなる。尚、ネジ付き錘り５をスポット盤６より上方に設けることにより、高重心のパターヘッドとしてもよい。高重心のパターは、パッティングによるエネルギーをボールの中心より上側に加えることができるので、ボールの転がりが良くなる。
【図面の簡単な説明】
【００１３】
【図１】第１の実施の形態におけるパターヘッドを示した平面図である。
【図２】第１の実施の形態におけるパターヘッドを示した背面図である。
【図３】第２の実施の形態におけるパターヘッドを示した平面図である。
【符号の説明】
【００１４】
１  フェース面
１ａ  背面
２  穿孔
２ａ  雌ネジ
３  脚部
４  ボス
５  ネジ付き錘り
５ａ  係合凹部
５ｂ  雄ネジ
６  スポット盤
８  トウ側
９  ヒール側
１０  パターヘッド
１１  シャフト
１２  目盛
１３  窓部
１５  長尺部材
【図１】
2006102235.tif 000003
【図２】
2006102235.tif 000004
【図３】
2006102235.tif 000005